(57)【要約】【課題】人感センサを有しているにも拘わらず、薄型化を図ることができるインターホン機器を提供する。【解決手段】人感センサ１１を、メイン基板１２とは別のセンサ基板１３に搭載しており、そのセンサ基板１３を、前後方向で液晶表示装置１０を保持する保持ケース１４とメイン基板１３との間に取り付けている。したがって、本体ケースのうち、人感センサ１１が位置するような液晶表示装置１０の周囲となる箇所を薄型に成形することができる。【選択図】図３
2019114966.tif 000002
【特許請求の範囲】
【請求項１】
本体ケースの内部に液晶表示装置が内蔵されており、前記液晶表示装置の表示画面が前記本体ケースの前面に露出しているとともに、前記液晶表示装置の後側に、他のインターホン機器との間での通話動作を含んだ主たる動作を制御するメイン基板が取り付けられているインターホン機器であって、
人の接近を検出するための人感センサが設けられているとともに、
前記本体ケースの前面における前記表示画面の周囲となる箇所に、前記人感センサを露出可能な窓が開設されており、
さらに、前記人感センサが、前記メイン基板とは別の基板で、前記メイン基板よりは小型のセンサ基板に搭載されており、前記センサ基板が、前後方向で前記液晶表示装置と前記メイン基板との間に取り付けられていることを特徴とするインターホン機器。
【発明の詳細な説明】
【技術分野】
【０００１】
本発明は、たとえば居室内に設置される液晶表示装置を備えたインターホン親機等のインターホン機器に関するものである。
【背景技術】
【０００２】
従来、たとえばインターホン機器の一例であるインターホン親機としては、液晶表示装置を搭載してなるものがある。そして、そのようなインターホン親機において、インターホン親機の主たる動作（インターホン子機との間の通話動作等）を制御するためのメイン基板は、液晶表示装置の後側に配置されることが多い（たとえば特許文献１）。
【先行技術文献】
【特許文献】
【０００３】
【特許文献１】特開２０１７−４６１７８号公報
【発明の概要】
【発明が解決しようとする課題】
【０００４】
近年、たとえばインターホン機器を自動的に立ち上げるための人感センサをインターホン機器に取り付けることがある。そして、そのような人感センサは、液晶表示装置の周囲に取り付ける必要がある。一方で、インターホン機器の薄型化が望まれており、液晶表示装置の周囲となる箇所は出来る限り薄く成形したい。しかしながら、上記メイン基板に人感センサを搭載しようとすると、インターホン機器の薄型化に支障をきたしてしまうという問題があった。
【０００５】
そこで、本発明は、上記問題に鑑みなされたものであって、人感センサを有しているにも拘わらず、薄型化を図ることができるインターホン機器を提供しようとするものである。
【課題を解決するための手段】
【０００６】
上記目的を達成するために、本発明は、本体ケースの内部に液晶表示装置が内蔵されており、液晶表示装置の表示画面が本体ケースの前面に露出しているとともに、液晶表示装置の後側に、他のインターホン機器との間での通話動作を含んだ主たる動作を制御するメイン基板が取り付けられているインターホン機器であって、人の接近を検出するための人感センサが設けられているとともに、本体ケースの前面における表示画面の周囲となる箇所に、人感センサを露出可能な窓が開設されており、さらに、人感センサが、メイン基板とは別の基板で、メイン基板よりは小型のセンサ基板に搭載されており、センサ基板が、前後方向で液晶表示装置とメイン基板との間に取り付けられていることを特徴とする。
【発明の効果】
【０００７】
本発明によれば、本体ケースの前面における表示画面の周囲となる箇所に露出する人感センサが、メイン基板とは別の基板で、メイン基板よりは小型のセンサ基板に搭載されている。また、当該センサ基板が、前後方向で液晶表示装置とメイン基板との間に取り付けられている。したがって、人感センサをメイン基板に搭載したものと比べると、人感センサを有しているものの、人感センサが位置する箇所、すなわち液晶表示装置の周囲となる箇所の薄型化を図ることができる。
【図面の簡単な説明】
【０００８】
【図１】インターホン親機を前面側から示した説明図である。
【図２】分解状態にあるインターホン親機を後側から示した斜視説明図である。
【図３】図１中のＡ−Ａ線断面における人感センサの箇所を拡大して示した説明図である。
【図４】（ａ）は、保持ケースにメイン基板とセンサ基板とが取り付けられている状態を後側から示した斜視説明図であり、（ｂ）は、保持ケースにセンサ基板のみが取り付けられている状態を後側から示した斜視説明図である。
【発明を実施するための形態】
【０００９】
以下、本発明の一実施形態となるインターホン親機について、図面にもとづき詳細に説明する。
【００１０】
図１は、インターホン親機１を前面側から示した説明図である。図２は、分解状態にあるインターホン親機１を後側から示した斜視説明図である。図３は、図１中のＡ−Ａ線断面における人感センサ１１の箇所を拡大して示した説明図である。図４（ａ）は、保持ケース１４にメイン基板１２とセンサ基板１３とが取り付けられている状態を後側から示した斜視説明図であり、図４（ｂ）は、保持ケース１４にセンサ基板１３のみが取り付けられている状態を後側から示した斜視説明図である。
【００１１】
インターホン親機１は、前側に配置される前ケース３及び後側に配置される後ケース４とを組み付けてなる本体ケースと、本体ケースの左隣に取り付けられるハンドセット２と、本体ケースの前面に組み付けられる化粧パネル６とを有している。また、本体ケースには、インターホン子機（図示せず）で撮像された映像等を表示するための液晶表示装置１０が内蔵されており、当該液晶表示装置１０の表示画面１０ａは本体ケースの前面に露出している。さらに、本体ケースの前面で、表示画面１０ａの下側には窓７が開設されており、当該窓７内には、インターホン親機１の前に近づいたユーザーを検知するための人感センサ１１が露出している。さらに、インターホン子機との間で通話するための通話部８、及びユーザーが操作するボタン９等も設けられている。
【００１２】
ここで、本発明の要部となる人感センサ１１の設置に係る構造について説明する。
インターホン親機１の本体ケース内には、インターホン親機１の主たる動作を制御するためのメイン基板１２と、人感センサ１１が搭載されたセンサ基板１３とが設置されている。そして、液晶表示装置１０は、保持ケース１４に保持されており、当該保持ケース１４の後面には、メイン基板１２を取り付けるためのメイン取付部と、センサ基板１３を取り付けるためのセンサ取付部とが設けられている。なお、センサ基板１３は、メイン基板１２とは別の基板であり、且つ、メイン基板１２よりも小型の基板である。
【００１３】
メイン取付部は、保持ケース１４の後面から後方へ突設された先端矢尻状の爪片で、メイン基板１２に設けられた被係止部２１、２１に係止する係止片１５、１５と、保持ケース１４の後面から後方へ突出する複数のスペーサ突起１６、１６・・とを有する。そして、そのようなメイン取付部に対し、メイン基板１２は、前面をスペーサ突起１６、１６・・の先端に当接させた状態で、被係止部２１、２１を係止片１５、１５に係止させて取り付けられる。したがって、メイン基板１２は、保持ケース１４の後側にスペーサ突起１６、１６・・の突出高さだけ離れた位置に取り付けられることになる。
【００１４】
一方、センサ取付部は、保持ケース１４の左下隅（前から見て）に設けられ、保持ケース１４の後面を周囲よりも前側へ一段凹ませて形成した凹部１７と、凹部１７の周縁に突設され、凹部１７上へ突出する押さえ部を有する押さえ片１８、１８とを有する。そして、そのようなセンサ取付部に対し、センサ基板１３は、凹部１７内に収納され、その後面が押さえ部により後側から押さえられるような格好で取り付けられる。したがって、センサ基板１３は、保持ケース１４の後面に当接した状態となり、前後方向で保持ケース１４とメイン基板１２との間に位置することになる。また、取付状態において、センサ基板１３の一部は保持ケース１４よりも（液晶表示装置１０よりも）下方へ突出しており、その突出部の前面に人感センサ１１が搭載されている。
【００１５】
また、上記液晶表示装置１０や保護ケース１４、メイン基板１２、センサ基板１３等が内蔵される本体ケースの前ケース３は、後側に開口する箱状に成形されており、その前面には、表示画面１０ａを露出させるための大開口２２や窓７等が開設されている。一方、後ケース４は、前側に開口する箱状で、前ケース３の後側を覆うように組み付けられる部材である。そして、後ケース４の略中央には、メイン基板１３を収納するための収納部２３が後側へ膨出するように設けられている。したがって、当該後ケース４を前ケース３へ組み付けた際には、収納部２３の周囲、すなわち液晶表示装置１０の周囲（人感センサ１１の搭載位置も含む）は、収納部２３の箇所に比べて前後方向の厚みが薄くなる。
【００１６】
なお、メイン基板１２とセンサ基板１３とは図示しないケーブルを介して電気的に接続されている。また、センサ基板１３には、ハンドセット２を接続するためのコネクタ（図示せず）も設けられている。さらに、２４は、窓７内に嵌め込まれる透明な合成樹脂製のカバーである。
【００１７】
以上のような構成を有するインターホン親機１によれば、人感センサ１１を、メイン基板１２とは別のセンサ基板１３に搭載しており、そのセンサ基板１３を、前後方向で液晶表示装置１０を保持する保持ケース１４とメイン基板１３との間に取り付けている。したがって、本体ケースのうち、人感センサ１１が位置するような液晶表示装置１０の周囲となる箇所を薄型に成形することができる。
【００１８】
なお、本発明に係るインターホン機器は、インターホン機器の全体的な構成は勿論、センサ基板の取り付けに係る構成等についても、本発明の趣旨を逸脱しない範囲で必要に応じて適宜変更することができる。
【００１９】
たとえば上記実施形態ではインターホン親機について説明しているが、本発明は、インターホン子機等の他のインターホン機器に対しても好適に採用することができる。
また、上記実施形態では、液晶表示装置の下側に人感センサを位置させているが、液晶表示装置の上側等の他の位置に人感センサを位置させても何ら問題はなく、そのような人感センサの位置の違いに応じて、センサ取付部の位置についても適宜変更設計可能である。
さらに、上記実施形態では、係止片や押さえ片等により各種基板を取り付けるとしているが、ネジ止め等により取り付けても何ら問題はない。
【符号の説明】
【００２０】
１・・インターホン親機（インターホン機器）、３・・前ケース（本体ケース）、４・・後ケース（本体ケース）、１０・・液晶表示装置、１１・・人感センサ、１２・・メイン基板、１３・・センサ基板、１４・・保持ケース。
【図１】
2019114966.tif 000003
【図２】
2019114966.tif 000004
【図３】
2019114966.tif 000005
【図４】
2019114966.tif 000006